(57)【要約】本発明は、中間周波入力回路１に関し、周波数混合回路２の出力ノードと中間周波増幅回路３の入力ノードとの間に結合される。中間周波入力回路１は、下側の中間周波数で共振する第一のインダクタ４、第一のキャパシタ６及び第三のキャパシタ８、並びに、上側の中間周波数で共振する第二のインダクタ５、第二のキャパシタ７及び第四のキャパシタ８を含んでいる。これらの共振周波数は、中間周波入力回路１の周波数特性のフラットなグラフを得るために第五のキャパシタ１０により結合される。
2006505997.tif 000002
【特許請求の範囲】
【請求項１】
周波数混合回路と中間周波増幅回路との間に接続される中間周波回路であって、
入力ノードのペアと、
出力ノードのペアと、
該入力ノードのペア間に結合される第一のインダクタと、
該出力ノードのペア間に結合される第二のインダクタと、
第一の入力ノードと第一の出力ノードとの間に結合される第一のキャパシタと第二のキャパシタと、
第二の入力ノードと第二の出力ノードとの間に結合される第三のキャパシタと第四のキャパシタと、
該第一のキャパシタと該第四のキャパシタとの間、及び該第二のキャパシタと該第三のキャパシタとの間に結合される第五のキャパシタと、
を有することを特徴とする中間周波回路。
【請求項２】
該第一のキャパシタは該第二のキャパシタに直列に結合され、該第三のキャパシタは該第五のキャパシタに直列に結合される、
請求項１記載の中間周波回路。
【発明の詳細な説明】
【技術分野】
【０００１】
本発明は、周波数混合回路の出力ノードと中間周波増幅回路の入力ノードとの間に結合される中間周波入力回路に関する。
【背景技術】
【０００２】
テレビジョンチューナでは、周波数混合回路の出力端と中間周波増幅回路の入力端との間に中間周波数の入力回路が接続されている。中間周波回路は、中間周波数の近くで生じる場合がある望まれない周波数成分を阻止しつつ、セレクタチャネルの選択的な中間周波数信号が通過するのを可能にする。阻止された周波数成分は、上側の隣接チャネルの中間周波数成分と下側の隣接チャネルの中間周波数成分とを含んでいる場合がある。これに応じて、望まれない周波数成分は、中間周波数の増幅回路により受信されない。
【０００３】
将来的に、アナログ及びデジタル信号は、デジタル信号への完全なスイッチが実現される前に共存することが期待される。デジタル転送は通常電力において低減されるので、強い隣接するアナログチャネルからのプロテクションがより厳密になる。
【発明の開示】
【発明が解決しようとする課題】
【０００４】
本発明の目的は、特に、セレクタチャネルの中間周波数について平坦な周波数応答を有し、隣接するチャネルの十分な抑圧を提供する中間周波入力回路を提供することにある。
【課題を解決するための手段】
【０００５】
本発明は、中間周波入力回路を提供することで、記載された問題を解決するものであり、この中間周波入力回路は、周波数混合回路の出力ノードと中間周波増幅回路の入力ノードとの間に接続されている。中間周波入力回路は、入力ノードのペアと出力ノードのペア、該入力ノードのペア間に結合される第一のインダクタ、該入力ノードのペア間に結合される第二のインダクタ、第一の入力ノードと第一の出力ノードとの間に結合される第一及び第二のキャパシタ、第二の入力ノードと第二の出力ノードとの間に結合される第三及び第四のキャパシタ、並びに第一のキャパシタと第四のキャパシタとの間に結合され、第二のキャパシタと第三のキャパシタとの間に結合される第五のキャパシタを含んでいる。
【０００６】
この構成と公知の中間周波入力回路の特性とを比較して、セレクタチャネルの中間周波数の数ＭＨｚにわたる平坦な周波数応答が得られる。さらに、上側の隣接チャネルの中間周波数成分、下側の隣接チャネルの中間周波数成分の満足のいくトラップ特性が得られる。中間周波入力回路は、費用対効率が高く、プロテクションの間に通常アラインメントされる必要がある、トラップを使用することなしに音声及び隣接チャネルの良好な抑圧による平坦な応答を与える。
【発明を実施するための最良の形態】
【０００７】
本発明は、好適な実施の形態に関する以下の記載及び添付図面から説明される。
図１は、中間周波入力回路１の実施の形態を示している。中間周波入力回路１は、周波数混合回路２と中間周波増幅回路３との間に結合される。
中間周波入力回路１は、入力ノードのペア１1及び１2、出力ノードのペア１3及び１4、第一のインダクタ４、第二のインダクタ５、第一及び第二のキャパシタ６及び７、第三及び第四のキャパシタ８及び９、並びに第五のキャパシタ１０を含んでいる。
周波数混合回路２は、入力ノードのペア２1及び２2、共通ベース構成にある出力トランジスタのペア１１及び１２を含んでいる。
中間周波増幅回路３は、入力ノードのペア３1及び３2、共通エミッタ構成にある入力トランジスタのペア１３及び１４を含んでいる。
【０００８】
中間周波入力回路１では、第一のインダクタ４は、入力ノードのペア１1及び１2との間に結合されている。１つの入力ノード１1と１つの出力ノード１3との間には、第一のキャパシタ６と第二のキャパシタ７は直列に結合されており、これにより、第一のキャパシタは入力ノード１1及び第二のキャパシタ７に結合されている。第二のキャパシタ７は、出力ノード１3に結合される。第二のインダクタ５は、出力ノードのペア１3及び１4の間に結合されている。１つの入力ノード１2と１つの出力ノード１4との間には、第三のキャパシタ８と第二のキャパシタ９が直列に結合されており、これにより第三のキャパシタは入力ノード１2及び第四のキャパシタ９に結合されている。また、第四のキャパシタ９は、出力ノード１4に結合されている。
【０００９】
周波数混合回路２では、一方の出力トランジスタ１１のコレクタは、一方の出力ノード２1に結合されており、他方の出力トランジスタ１２のコレクタは、他方の出力ノード２2に結合されている。
【００１０】
中間周波増幅回路３では、一方の入力トランジスタ１３のベースは、一方の入力ノード３1に結合されており、他方の入力トランジスタ１４のベースは、他方の入力ノード３2に結合されている。
【００１１】
中間周波入力回路１の入力ノードのペア１1及び１2は、周波数混合回路２の出力ノードのペア２1及び２2に結合されている。中間周波入力回路１の出力ノードのペア１3及び１4は、中間周波増幅回路３の入力ノードのペア３1及び３2に結合されている。
【００１２】
好適な中間周波入力回路１では、第一のインダクタ４、並びに第一及び第三のキャパシタ６及び８は、セレクタチャネルの低い方の中間周波数で共振するように、第一のインダクタ４のインダクタンス、並びに第一及び第三のキャパシタ６及び８のキャパシタンスが選択される。第二のインダクタ５、並びに第二及び第四のキャパシタ７及び９がセレクタチャネルの上側の中間周波数と共振するように、第二のインダクタ５のインダクタンス、並びに第二及び第四のキャパシタ７及び９のキャパシタンスが選択される。下側の共振周波数の成分と上側の共振周波数成分とを第五のキャパシタ１０で結合することで、中間周波入力回路１の数ＭＨｚにわたり平坦な周波数応答を得ることができる。
【００１３】
中間周波入力回路１は以下のように動作する。セレクタチャネルの中間周波信号（以下、「ＩＦ信号」と呼ぶ）は、周波数混合回路２の出力ノードのペア２1及び２2を通して通過する。ＩＦ信号は、望まれない周波数成分を含んでいる。入力ノードのペア１1及び１2を通して中間周波入力回路１により受信される。第一のインダクタ４、並びに第一及び第三のキャパシタ６及び８は、セレクタチャネルの下側の中間周波数を選択する。第二のインダクタ５、並びに第二及び第四のキャパシタ７及び９は、セレクタチャネルの上側の中間周波数を選択する。調節されたＩＦ信号は、出力ノードのペア１3及び１4を通して通過し、中間周波増幅回路３の入力ノードのペア３1及び３2により受信される。次いで、ＩＦ信号は、入力トランジスタのペア１３及び１４により増幅されるのが好ましい。
【００１４】
図２は、図１に示される中間周波入力回路の周波数特性の例を示している。下側の共振周波数が３４．４７ＭＨｚであるように、第一のインダクタ４のインダクタンス、並びに第一及び第三のキャパシタ６及び８のキャパシタンスが選択される。上側の共振周波数が３８．９ＭＨｚであるように、第二のインダクタ５のインダクタンス、並びに第二及び第四のキャパシタ７及び９のキャパシタンスが選択される。中間周波入力回路の帯域幅は、第五のキャパシタ１０により調節される。
【図面の簡単な説明】
【００１５】
【図１】中間周波入力回路の実施の形態を示す回路図である。
【図２】図１に示される中間周波入力回路の周波数特性の例を示すグラフである。
【図１】
2006505997.tif 000003
【図２】
2006505997.tif 000004
【国際調査報告】
2006505997.tif 000005
2006505997.tif 000006